(57)【特許請求の範囲】
【請求項１】
立方形状の箱に各部を収納し、前記箱の前面板にはカードを立てた状態で一枚毎に挿入させるカード挿入口と、前記カードに代わる券を返却する返却口とを備え、かつ背面板が開閉する記録単体自動回収装置において、
前記カード挿入口に先端が連結され後端が前記背面板に向けられて、前記カードの挿入に伴ってカードを立てた状態のまま、所定間隔で内部に搬送し、前記後端に到達する前に表裏の汚れ、脂成分を除去して排出するカード搬送部と、
上面が開口されて前記カード搬送部の後端の下方に設けられ、前記カードを受け取る収納袋と、
前記カード搬送部の所定位置の側面にアンテナを設け、このアンテナから電波を放射して前記カードの内部データを読み取り、又は前記アンテナから電波を放射して前記カードの内部データを消去させるカード読み取り部と、
前記返却口に券の収納口が連結されて前記返却口から一枚毎に返却させ、また前記券が収納されるときは、前記返却口との連結を解除して前記背面側に収納口を向ける券払い出し部と、
前記各部に所定温度の温風を送付するヒータ部と、
前記各部を制御しながら状況を監視し、前記カード搬送部の所定位置にカードが位置した場合は、前記カードの内部データを読み込ませて内部データを判断し、該内部データが所定条件を満たしている場合は、内部データを消去させて前記後端に搬送させると共に前記券を返却させ、かつ、前記カードの種類毎に回収情報としてカード回収枚数と回収時間を更新し、前記収納されている券枚数を更新する制御部とを有することを特徴とする記録単体自動回収装置。
【請求項２】
前記制御部は、外部との通信を行う通信制御手段を有し、該通信制御手段が現在の状況を転送させる命令を示しているときは、前記監視制御している各部の状況又は前記全カードの回収情報及び前記収納されている券枚数を所定の形式で送信することを特徴とする請求項１記載の記録単体自動回収装置。
【請求項３】
前記券払い出し部は、
前記返却口に前記収納口が連結され、下面の中央部に連結穴を備えて、前記券を一枚毎に払い出す収納部と、
溝付きバーを上面に長手方向に設けて両側面を垂直に立てた底板と、この底板の両側面に摺動自在に前記収納部を搭載する板台と、この板台と底板の間に設けられ、前記収納部の連結穴に連結されて前記溝付きバーと噛み合う丸型ギヤと、前記板台の背面パネル側に固着されたレバーとからなる収納台反転機構部と
を組み合わせてなることを特徴とする請求項１乃至２記載の記録単体自動回収装置。
【請求項４】
前記制御部は、前記カードが前記アンテナの位置に来たことを検知すると、前記搬送を一旦停止させて前記カード読み込み部を駆動して前記内部データを判定し、該判定の後に前記カード挿入口からのカードを内部に取り込みさせることを特徴とする請求項１乃至３記載の記録単体自動回収装置。
【請求項５】
前記制御部は、前記カード搬送部のカードの内部データが所定の条件を満足していないときは、前記カード搬送部の搬送を前記取り込んだカードが前記カード挿入口に返送されるまで逆搬送させることを特徴とする請求項１乃至４記載の記録単体自動回収装置。
【請求項６】
前記制御部は、
前記外部からの年月日と時刻を受信したときは、この年月日、時刻を内部に設定することを特徴とする請求項１乃至４記載の記録単体自動回収装置。
【発明の詳細な説明】
【０００１】
【発明の属する技術分野】
本発明は、遊技場、スキー場等に用いられる非接触のＩＣカードを回収して代わりに券を自動発行する記録単体自動回収装置に関する。
【０００２】
【従来の技術】
近年、スキー場等においては、非接触のカードに各設備の利用許可情報等を登録し、このカードを携帯したスキーヤがゲートを通過したとき、利用できるスキーヤかどうかを判定して、自動的に改札業務を行うシステムが配置されるようになってきている。このようなカードは、スキーヤによって販売所にて購入されるが、購入時にはスキーヤに預かり金を支払ってカードを購入させ、このカードの返却があったときは預かり金を返却するのが一般的である。
【０００３】
また、スキー場等においては、カードの終了時刻等が決まっており、この終了時刻間際になると販売所は非常に混雑する。
【０００４】
この混雑を解消するために、スキー場には、カード自動回収装置（以下単に回収機という）が様々な場所に配置されている。
【０００５】
この従来の回収機は、カードが投入されると、このカードが正規のものかどうかを判定し、正規のものであれば内部データ及び表面の印字文字を消去して投函箱に投函して払戻金を返却していた。
【０００６】
さらに、係員は所定期間毎に回収機を廻って払い戻し用の現金を投入したり、回収機の状況を把握していた。
【０００７】
【発明が解決しようとする課題】
しかしながら、回収機の設置場所は一般に野外であり、しかも係員が一台毎に廻って状況を把握して歩かなければならないので、係員の作業時間が多くなるという問題点があった。
【０００８】
また、従来の回収機は投入されたカードの内部データ及び表面文字を消去する手段とカードの表裏を判定する手段とを必要としているので、回収機の構成が複雑になるという問題点があった。
【０００９】
さらに、カードの内部データ及び表面文字を消去する手段が必要となるので、装置が高価になって様々な機能を追加することができないという問題点があった。
【００１０】
本発明は以上の問題点を解決するためになされたもので、係員の作業負担を軽減できると共に、簡単な構成で様々な機能を提供してカードを回収できるカード自動回収装置を得ることを目的とする。
【００１１】
【課題を解決するための手段】
請求項１は、 立方形状の箱に各部を収納し、前記箱の前面板にはカードを立てた状態で一枚毎に挿入させるカード挿入口と、前記カードに代わる券を返却する返却口とを備え、かつ背面板が開閉する記録単体自動回収装置において、
前記カード挿入口に先端が連結され後端が前記背面板に向けられて、前記カードの挿入に伴ってカードを立てた状態のまま、所定間隔で内部に搬送し、前記後端に到達する前に表裏の汚れ、脂成分を除去して排出するカード搬送部と、上面が開口されて前記カード搬送部の後端の下方に設けられ、前記カードを受け取る収納袋と、前記カード搬送部の所定位置の側面にアンテナを設け、このアンテナから電波を放射して前記カードの内部データを読み取り、又は前記アンテナから電波を放射して前記カードの内部データを消去させるカード読み取り部と、前記返却口に券の収納口が連結されて前記返却口から一枚毎に返却させ、また前記券が収納されるときは、前記返却口との連結を解除して前記背面側に収納口を向ける券払い出し部と、前記各部に所定温度の温風を送付するヒータ部と、  前記各部を制御しながら状況を監視し、前記カード搬送部の所定位置にカードが位置した場合は、前記カードの内部データを読み込ませて内部データを判断し、該内部データが所定条件を満たしている場合は、内部データを消去させて前記後端に搬送させると共に前記券を返却させ、かつ、前記カードの種類毎に回収情報としてカード回収枚数と回収時間を更新し、前記収納されている券枚数を更新する制御部とを備えたことを要旨とする。
【００１２】
請求項１においては、立方形状の箱内は一定の温度に保たれる。そして、この箱の前面板のカード挿入口にカードが挿入されると、カード搬送部によって立てた状態で内部に取り込まれ、このカードがアンテナの位置に来たときに、内部データがカード読み取り部によって非接触で読み込まれる。そして、この内部データが制御部によって判断され、所定条件を満たしていると判断した場合は、カード読み取り部を用いて内部データを消去させた後に、カード搬送部の後段に搬送させる。すると、カード搬送部によってカードの表裏の汚れ、脂成分が除去された後に収納袋に投函される。
【００１３】
このとき、制御部は、内部データよりカードの種類を解読し、カードの類毎に枚数を集計し、かつ前記券を前面パネルの返却口から返却させる。
【００１４】
すなわち、挿入されたカードを垂直搬送させてアンテナによって非接触で内部データを読み込んでいるので、表裏の判定をしなくとも内部データを判定して枚数をカウントして券を返却させることが可能となると共に、表裏の汚れ、脂肪を除去して収納袋に投函させることが可能となる。
【００１５】
また、収納袋はカード搬送部の後端の下方に設けられているので、背面パネルを開けると容易に収納袋を回収させることが可能となる。
また、制御部は、所定条件を満足するカードの種類に対応する回収ファイルが存在するとき、その回収ファイルの枚数と回収時間が更新され、かつ収納されている券枚数が更新される。
【００１６】
請求項２は、前記制御部は、外部との通信を行う通信制御手段を有し、該通信制御手段が現在の状況を転送させる命令を示しているときは、前記監視制御している各部の状況又は前記全カードの回収情報及び前記収納されている券枚数を所定の形式で送信することを要旨とする。
【００１７】
請求項２においては、制御部は、外部からの要求に答えて各部の状況又は全ての回収ファイルのデータ及び券枚数を所定の形式で送信させることが可能となる。
【００１８】
請求項３は、券払い出し部は、返却口に前記収納口が連結され、下面の中央部に連結穴を備えて、前記券を一枚毎に払い出す収納部と、溝付きバーを上面に長手方向に設けて両側面を垂直に立てた底板と、この底板の両側面に摺動自在に収納部を搭載する板台と、この板台と底板の間に設けられ、収納部の連結穴に連結されて溝付きバーと噛み合う丸型ギヤと、板台の背面パネル側に固着されたレバーとからなる収納台反転機構部とを組み合わせてなることを要旨とする。
【００１９】
請求項３においては、券払い出し部は、収納台反転機構部の板台に収納部を乗せている構成をとっている。このため、背面パネルを開けて収納台反転機構部の板台に固着されているレバーを引っ張ると、板台が手前に移動しようとするが、丸ギヤが底板の溝付きレバーに噛んでいるので板台を手前に移動させないで収納部を回転させることが可能となる。
【００２０】
請求項４は、制御部は、カードが前記アンテナの位置に来たことを検知すると、搬送を一旦停止させてカード読み込み部を駆動して内部データを判定し、判定の後にカード挿入口からのカードを内部に取り込みさせることを要旨とする。
【００２１】
請求項４においては、制御部は、カード搬送部のアンテナの位置にカードが来たとき、搬送を一旦停止させてカード読み込み部を駆動して内部データを判定する。そして、この判定の後に、カード挿入口から新たなカードが内部に取り込みされる。
【００２２】
請求項５は、制御部は、カード搬送部のカードの内部データが所定の条件を満足していないときは、カード搬送部の搬送を取り込んだカードがカード挿入口に返送されるまで逆搬送させることを要旨とする。
【００２３】
請求項５においては、制御部は、カード搬送部のカードの内部データが所定の条件を満足していないときは、取り込んだカードがカード挿入口に返送される。
【００２４】
請求項６は、制御部は、カードの種類毎の回収ファイルを有し、所定条件を満足するカードの種類に対応する回収ファイルが存在するとき、その回収ファイルの枚数と回収時間を更新すると共に、収納されている券枚数を更新することを要旨とする。
【００２５】
請求項６は、前記制御部は、前記外部からの年月日と時刻を受信したときは、この年月日、時刻を内部に設定することを要旨とする。
【００２６】
請求項６においては、制御部は外部からの年月日と時刻とを受信したときは、この年月日、時刻を内部に設定する。このため、外局との同期をとって回収処理が可能となる。
【００３０】
【発明の実施の形態】
図１は本実施の形態の記録単体自動回収装置の概略構成図である。図１に示す記録単体自動回収装置１は、非接触のＩＣカードを内部に取り込んで内部データを読み込んだ後に、内部データを消去して回収すると共に、ＩＣカードの券種データ毎の回収枚数を集計して日銀券（以下紙幣という）を返却する。また、カードの種類毎の集計データと紙幣の返却枚数等を外部に通報するものである。
【００３１】
このため、記録単体自動回収装置１は、商用電源を所望の電圧に変換して各部に供給すると共に、バックアップ電源３にこれらの電力を充電する電源ユニット５と、非接触のＩＣカード７をカード挿入／返却口９より内部に取り込みながらアンテナ１１により内部データを消去してカード収納袋１３に投函するカード搬送部１５と、カード搬送部１５のアンテナ１１の放射電波を制御するアンテナコントロール部１７とを備えている。
【００３２】
また、紙幣取出口１９から紙幣を一枚毎に返却する紙幣払い出し部２１と、内部を一定の温度にするヒータ部２２と、現在当該装置がどのような状態かを知らせる案内板群２４と、各案内板に対応するＬＥＤを備えたＬＥＤ部２６と、各部を制御する制御ユニット２８とを備えている。この制御ユニット２８には通信インタフェース２９であるＲＳ２３２Ｃが取り付けられ、遠隔地点のコントローラ（図示せず）と通信ができるようにされている。
【００３３】
さらに、制御ユニット２８にはドアスイッチ３０と、鍵スイッチ３２とを備えている。
【００３４】
また、電源ユニット５には、ＬＡＮＰ３１とＲＡＮＰスイッチ３３とが接続されている。
【００３５】
そして、電源ユニット５と、カード搬送部１５と、アンテナ１１と、カード収納袋１３と、アンテナコントロール１７と、紙幣払い出し部２１と、ヒータ部２２と、制御ユニット２８と、ドアスイッチ３０と、鍵スイッチ３２と、ＬＡＮＰ３１、ＬＡＮＰスイッチ３３とは箱３６内に納めれている。また、カード挿入／返却口９と、紙幣返却口１９と、案内板群２４とＬＥＤ部２６とは箱３６に外付けされている。
【００３６】
上述の記録単体自動回収装置１の各部は、箱３６に以下に説明するように収納されている。
【００３７】
図２は本実施の形態の記録単体自動回収装置の正面図である。図３は記録単体自動回収装置の側面図である。図４は記録単体自動回収装置の背面図である。
【００３８】
図１、図２及び図３に示すように記録単体自動回収装置１の箱３６は長方形の自立型構造となっている。
【００３９】
そして、図２に示すように、箱３６の正面パネル３８の上部（ほぼ人間の目の高さ）には、案内板群２４と、ＬＥＤ部２６が設けられ、下部には紙幣取出口（ほぼ人間の腰の位置）が設けられている。また、案内板群２４と紙幣取出口１９との間には、カード挿入／返却口９が設けられている。
【００４０】
制御ユニット２８は、内部の上段に配置され、この制御ユニット２８には操作キー部４０及び表示部４２、メンテナンスボタン４３等が設けられている。
【００４１】
カード搬送部１５は、カード挿入／返却口９に一端が連結されて制御ユニット２８の下方に設置されている。また、アンテナコントローラ１７はカード搬送部１５の一方の側面に設置されている。
【００４２】
さらに、カード搬送部１５の他方の側面側にはヒータ部２２が設けられ、カード搬送部１５の他端の下方には、カード収納袋１３を設置するスペースが設けられている。
【００４３】
さらに、紙幣払い出し部２１は、ヒータ部２２の下方に設置され、紙幣払い出し部２１の下方に電源ユニット５が設置されている。
【００４４】
また、箱３６の背面パネル４４は図４に示すポップアップ式の鍵４６の操作によって開閉可能にされている。
【００４５】
＜各部の説明＞
カード搬送部１５は、カード挿入／返却口９からのリフト券カード７を制御ユニット２８からの指示に基づいて内部に取り込んだ後に、取り込んだリフト券カード７を掃除してカード袋１３に投函する。また、所定条件を満足しない正規のカードでないときは、カード挿入／返却口９からリフト券カード５を返却する。
【００４６】
このリフト券カード７は、発振機能と内部メモリを備え、内部メモリは図５に示すように複数ページ領域に分かれ、１ページ領域（Ｐ１）には基本データが、２ページ領域（Ｐ２）には、使用実績データが書き込まれている。
【００４７】
１ページ領域（Ｐ１）に書き込まれている基本データは、図５に示すようにスキー場コード（１）と、本装置を管理運営している会社の会社コード（２）と、券種コード（３）等からなっている。この券種コード（３）は大人券、子供券、時間券、一日券、期間券、共通券（会社に関係なく全ての設備を使用できる券）の区別がある。
【００４８】
また、２ページ領域（Ｐ２）に書き込まれる使用実績データは、改札機（図示せず）のシリアルＮＯ（１２）と、使用度数（１３）と、使用日数（１４）等からなっている。
【００４９】
アンテナコントローラ部１７はカード搬送部１５の側面に設けられ、搬送されて来たリフト券カード７の内部データを非接触で読み、読み込んだ内部データを制御ユニット２８に送出する。そして、制御ユニット２８からの指示に基づいてリフト券カード７の内部データを消去する。
【００５０】
紙幣払い出し部２１は、制御ユニット２８からの払い出し指示信号の入力に伴って予め投函された紙幣を一枚、紙幣取り出し口１９から返却する。この紙幣払い出し部２１は、後述する紙幣返却ボックスと反転機構部からなり、反転機構部のハンドルの引き出しに伴って９０度反転する。
【００５１】
制御ユニット２８は、各部の状態を検知しながら各部を制御する機能（この機能に関しては後述する）を備えている。また、外部からのコントローラ（図示せず）との通信条件、回収すべきリフト券カード７の条件等を設定させるための操作スイッチ４０、メンテナンスモードを起動させるメンテナンスボタン４３、設定内容等を表示する表示器４２等を備えている。
【００５２】
＜主要な各部の詳細説明＞
図６はカード搬送部の平面図である。図６の（ａ）は図４のＡ矢視方向の機構を示し、図６の（ｂ）は図６の（ａ）のＡ矢視方向の機構を示している。図７は図４のＢ矢視方向の側面図である。
【００５３】
これらの図に示すようにカード搬送部１５はリフト券カード７を立てて挿入させ、このまま内部に搬送（以下垂直搬送という）する構造にされている。
【００５４】
このため、図６の（ｂ）に示すようにカード挿入／返却口９は縦に口が設けられ、図６及び図７に示すように、リフト券カード７を２重構造の複数のローラで挟持しながら垂直搬送する。この垂直搬送系は１段目と２段目と３段目と４段目とからなっている。
【００５５】
一段目には、図６の（ａ）及び図７に示すように搬送方向の一方の側面にスプリングバック式のローラ５０ａ、５０ｂ、５０ｃ、５０ｄと、対向する他方の側面に３個のローラ５１ａ、５１ｂ、５１ｃとが設けられている。
【００５６】
２段目には、搬送方向の一方の側面にスプリングバック式のローラ５４ａ、５４ｂと、対向する他方の側面にはローラ５５ａ、５５ｂとが設けられている。
【００５７】
３段目には、搬送方向の一方の側面にスプリングバック式のローラ５７ａ、５７ｂ、５７ｃと、対向する他方の側面にはローラ５８ａ、５８ｂとが設けられている。
【００５８】
４段目には、搬送方向の一方の側面にスプリングバック式のローラ６０ａ、６０ｂ、６０ｃと、対向する他方の側面にはローラ６１ａ、６１ｂ、６１ｃとが設けられている。
【００５９】
また、一段目のローラ５０ａとローラ５１ａとの直前にはカード挿入又は返却検出用のセンサ６３ａ及び６３ｂが対向して設けられ、かつローラ５０ｄとローラ５１ｃの直前には一段目からのカードの出力又は一段目の入力を検出するためのセンサ６４ａと６４ｂとが対向して設けられている。
【００６０】
２段目は、ローラ５４ａ、５４ｂ、ローラ５５ａ、５５ｂのみを設け、アンテナ１１による電波の放射及びリフト券カード７の電波放射を妨げない構成となっている。
【００６１】
３段目には、ローラ５７ｂとローラ５８ｂの直前に、カードの３段目への入力又は３段目から２段目への返送を検出するためのセンサ６５ａと６５ｂとが対向して設けられている。
【００６２】
４段目には、最終のローラ６０ｃとローラ６１ｂの直後に、カードの排出を検出するためのセンサ６６ａと６６ｂとが対向して設けられている。
【００６３】
さらに、一段目にはカードを一枚毎に所定間隔で内部に取り込ませるためのソレノイド６８がローラ５１ａとローラ５１ｂの間に併設され、このソレノイド６８がレバー７４を出し入れすることによってリフト券カード７を内部に取り込む。
【００６４】
このレバー７４とソレノイド６８とからなる機構をシャッタ部ともいう。また、一段目のローラ５１ａ、５１ｂはベルト７２で連結され、モータ７０ａの連結軸７１がローラ５１ｂの連結軸５２に連結されている。
【００６５】
２段目のローラ５５ａ及び５５ｂと１段目の最終のローラ５１ｃと３段目の初めのローラ５８ａとはベルト７６によって連結されている。
【００６６】
３段目の初めのローラ５８ａの連結軸５９とモータ７０ｂの連結軸７３は連結され、１段目の最終のローラ５１ｃと２段目のローラ５５ａ、５５ｂと連動して回転する。さらに、次のローラ５８ｂと、このローラ以降のローラ５８ｃ、５８ｄはベルト７８で連結されている。
【００６７】
４段目の初めのローラ６０ａ、６１ａとモータ７０ｃの連結軸７５は連結されている。さらに、４段目のローラ６０ａと、このローラ以降のローラ６０ｂ、６０ｃはベルト８０で連結されている。
【００６８】
また、３段目の一方の側面には、リフト券カード７の表面の汚れ（手垢、脂肪、水滴）等を取り除くフェルト８２が垂直に立てられ、４段目の他方の側面にも同じフェルト８３が着脱可能に設けられている。
【００６９】
このフェルト８２、８３をカード搬送部１５の後端に設けるのは、カード搬送部１５の後部は背面パネル側に向いている。このため、箱３６の背面側の背面パネル３８を開けることによって、容易に取り替えが可能となるためである。
【００７０】
紙幣払い出し部２１は、図８及び図９に示すように、上面開口の四角形状の立方体である紙幣収納返却部９０と、この紙幣収納返却部９０を搭載した反転機構部９１とからなっている。
【００７１】
反転機構部は長方形の底板９２の両縁を側板９３ａ、９３ｂで囲い、この側板９３ａ、９３ｂの内側にＬ型ブラケット９４ａ、９４ｂを固着している。
【００７２】
また、一方の側板９４ｂに対して所定間隔を有して溝付きバー９５が平行に底板９２に固着されている。
【００７３】
さらに、Ｌ型ブラケット９４ａ、９４ｂには、ローラ９７ａ、９７ｂ、９７ｃ、９７ｄを取り付けて、紙幣収納返却部９０を搭載したコの字形状の板台９８が載せられている。この板台９８の下には、レバー９９を取り付けたレバー取り付けブラケット１００が板台９８に固着されている。このブラケット１００は、コの字形状をなして板台９８に固着され、側板１０２ａと１０２ｂとがバー１０３によって貫通され、バー１０３の両端は板台９８の側板１０５ａ、１０５ｂとに固着されている。
【００７４】
また、板台９８の中央部には貫通穴１０７が設けられ、この貫通穴１０の周囲にはフリーベアリング１０８が複数周設されている。
【００７５】
さらに、板台９８の中央部の貫通穴１０７には、丸型のギア１１０（ギアピッチは溝付きバー９５と同じ）が底板９２に連結されて溝付きバー９５とかみ合うようになっている。この丸ギア１１０の軸１１１が紙幣収納返却部９０の底の貫通穴１１２に連結されるようになっている。また、貫通穴１０７の周縁には、ベアリング１１４が周設されている。
【００７６】
このため、レバー９９を手前に引っ張ると、板台９８の移動に伴って丸ギア１１０が溝付きバー９５にかみ合って回転するので、紙幣収納返却部９０が９０度回転させられる。
【００７７】
従って、紙幣収納返却部９０を背面パネル４４の外に出さなくとも紙幣の補充が容易にできる。
【００７８】
制御ユニット２８は、図１０に示すように、カード回収判定手段１２０と、カードデータ消去指令手段１２２と、集計ファイル更新手段１２４と、各部状況検出手段１２６と、データ設定手段１２８と、メンテナンス受付応答手段１３０と、通信制御手段１３２と、集計データ転送手段１３４等を備えている。
【００７９】
カード回収判定手段１２０は、カード搬送部１５、アンテナ１１及びアンテナコントロール部１７からなるカードリーダ部からのリフト券カード７の内部データを入力し、この内部データと基本データとを比較して回収可能なカードかどうかの判定結果をカードリーダ部、カードデータ消去指令手段１２２及び集計ファイル更新手段１２４に送出する。
【００８０】
カードデータ消去手段１２２は、カード回収判定手段１２０の判定結果が回収許可を示しているときは、カードリーダ部のアンテナコントロール部１７にカードデータ消去指令を送出する。
【００８１】
集計ファイル更新手段１２４は、カード回収判定手段１２０がカード回収許可と判定すると、リフト券カード７の内部データの券種データＱｉを読み、この券種データＱｉ（スキー場コード、会社コード、券種等）に対応する集計ファイル１２５の回収枚数ｋｉに１を加算する。この券種データは、スキー場コードと、会社コードと、券種（一日券、時間券、共通券等、これらは大人券と、子供券とがある）とからなっている。
【００８２】
券種に会社コードを対応ずける理由は、大きなスキー場においては、複数のスキー場からなり、管理する会社も複数ありるからである。
【００８３】
また、起動に伴って紙幣払い出し部２１から現在の総枚数をカウントさせ、この紙幣枚数Ｈｉを集計ファイル１２５に記憶し、紙幣払い出し部２１が紙幣を払い出す毎に紙幣枚数Ｈｉから１を減算する。
【００８４】
各部状況検出手段１２６は、カード搬送部、アンテナコントロール部、ドアスイッチ、電源ユニット部の状況及びメンテナンス状況等を検知し、通信制御手段１３２が現在の動作状態を知らせるコマンドを受信したとき、検知した上述の状況を通信制御手段１３２に知らせる。
【００８５】
データ設定手段１２６は、通信制御手段１２８が時刻設定、スキー場コード、会社コード、券種等の設定データを受信したときは、これらを集計ファイル更新手段１２４、メンテナンス受付応答手段、カード回収手段１２０に設定する。
【００８６】
メンテナンス受付応答手段１３０は、制御ユニット２８のメンテナンスボタンが押されるとメンテモードとして受付て、各部を起動させて各部状況検知手段１２６の検知データから状況をプリントアウトしたり、キー操作に基づくデータを各手段に設定する。また、通信制御手段１２８が保守状況転送コマンドを受信したときは、メンテモードの処理を終了した後で、このコマンドを受け付ける。
【００８７】
通信制御手段１３２は、オンライン通信とオフライン通信機能を備え、ポーリング／セレクティング方式で、外部との通信を行う。
【００８８】
集計データ転送手段１３４は、通信制御手段１３２が集計結果転送のコマンドを受信したとき、集計ファイル１２５を読み、回収した全てのリフト券カードの集計データを所定の形式で通信制御部１３２に渡して転送させる。
【００８９】
上記のように構成された記録単体自動回収装置について以下に動作を説明する。
【００９０】
図１１は記録単体自動回収装置の動作を説明する概略フローチャートである。
【００９１】
制御ユニット２８のカード回収判定手段１２０は電源投入に伴って（Ｓ１１０１）、各部の動作チェック、カウンタのクリア等を行う初期化処理を行い（Ｓ１１０３）、ハード障害があるかどうかを判断する（Ｓ１１０５）。ステップＳ１１０５でハード障害がないと判断したときは、箱３６の背面パネル３８が開いた状態かどうかを判断する（Ｓ１１０７）。ステップＳ１１０７で背面パネル３８が閉じていると判断したときは、案内板の「取り扱い中」を指示するＬＥＤを点灯する（Ｓ１１０９）。
【００９２】
そして、リフト券カード７の内部データを消去して券種データ毎に集計を取ってカード収納袋１３に投函するカード回収処理を行う（Ｓ１１１１）。このカード回収処理（通常モードともいう）について詳細に後述する。
【００９３】
また、ステップＳ１１０５でハード障害又はステップＳ１１０７で背面パネル３８が開いていると判定したときは、案内板の「中止」を指示するＬＥＤを点灯させ、メンテモードが選択されているかどうか判定する（Ｓ１１１５）。ステップＳ１１１５でメンテモードの選択と判定したときは、このメンテモードが指定する後述する処理を行う（Ｓ１１１７）。
【００９４】
また、外部からの通信要求割込を受付け、集計ファイルの回収データの転送、何らかの異常を検出したときに外部に異常状況の転送、外部からの年月日時刻を受信する通信処理を行う（Ｓ１１１９）。
【００９５】
次に、カード回収処理について説明する。例えば、リフト券カード７を記録単体自動回収装置１のカード挿入／返却口９に立てた状態で挿入すると、リフト券カード７の挿入をカード搬送部１５の１段目の初めのセンサ６３ａ、６３ｂが検出し、カード挿入検出信号を制御ユニット２８に送出する。
【００９６】
制御ユニット２８のカード回収処理は、カード挿入検出信号の入力に伴って、カード搬送部１５の２段目にリフト券カード７が位置していないかどうかを判断する。２段目に位置している場合は、カード搬送部１５のソレノイド６８に対してレバー閉信号を送出し、レバー７４を搬送経路上に突出させてリフト券カード７の内部への挿入を停止させる。
【００９７】
また、２段目にリフト券カード７が位置していないと判断したときは、各モータ７０ａ、７０ｂ、７０ｃを回転させてリフト券カード７を内部に搬送させると共に、ソレノイド６８に対してレバー７４を搬送経路から引っ込めさせるレバー戻し信号を送出する。この２段目にリフト券カード７が位置しているかどうかの判断はセンサ６４ａ、６４ｂ及びセンサ６５ａ、６５ｂの出力信号に基づいて判定する。
【００９８】
ソレノイド６８は制御ユニット２８からのレバー戻し信号の入力に伴って所定の間、レバー７４を引っ込めて、再びレバー７４を吐出させる。すなわち、シャッタ部は、２段目に位置するリフト券カード７の内部データの判定を優先してリフト券カード７を一枚毎に内部に取り込ませている。
【００９９】
そして、一段目の最終のセンサ６４ａ、６４ｂによってリフト券カード７が検出されると、制御ユニット２８は所定の間、モータ７０ｂを停止させて、リフト券カード７を２段目のローラ５４ａ、５４ｂ、５５ａ、５５ｂに位置させると共に、アンテナコントローラ部１７からのリフト券カード７の内部データの判定処理を行わせる。
【０１００】
この内部データの判定処理を図１１のフローチャートを用いて説明する。本装置は、リフト券カードの内部データを読み込みができない場合は、モータ７０ｂを制御して２回まで再トライするようにされている。
【０１０１】
このため、初めにリトライカウンタをクリアして（Ｓ１２０１）、アンテナコントローラ部に対してリフト券カード７の基本データが書き込まれている１ぺージ領域（Ｐ１）を読み込みさせるデータ読込信号を送出して、この領域のデータをアンテナコントローラ部から読み取り一時記憶する（Ｓ１２０５）。
【０１０２】
そして、読み取った内部データを解読できるかどうか（リードエラー）を判定する（Ｓ１２０５）。ステップＳ１２０５でリードエラーと判定したときは、リトライカウンタを更新し（Ｓ１２０７）、このリトライカウンタが「２」になったかどうかを判定する（Ｓ１２０９）。ステップＳ１２０９でリトライカウンタが「２」と判定したときは、処理をステップＳ１２０３に戻して再びリフト券カード７の内部データを読み込ませる。この内部データは、リフト券カード７に書き込まれている基本データと使用実績データである。
【０１０３】
また、ステップＳ１２０９でリトライカウンタが「２」と判定したときは、データ判定ＮＧ処理（Ｓ１２１１）を行って処理を終了する。このデータ判定ＮＧ処理というのは、カード搬送部１５のモータ７０ａ、７０ｂ、７０ｃを逆回転させると共に、レバー７４を引っ込めてカード挿入／返却口からリフト券カード７を返却させ、かつ案内板の「窓口持ち込み」指示のＬＥＤを点灯させる。
【０１０４】
また、ステップＳ１２０５で内部データが正常にアンテナによって読み込まれたと判定したときは、読み込んだ基本データに回収フラグが立てられていないかどうかを判断する（Ｓ１２１３）。この回収フラグは「１」が立てられている場合は、既に回収機によって回収済みであることを示している。
【０１０５】
ステップＳ１２１３でを回収フラグが立てられていないと判断したときは、読み込んだ基本データのスキー場コードが予め記憶されているスキー場コードに一致しているかどうかを判断する（Ｓ１２１５）。
【０１０６】
ステップＳ１２１５でスキー場コードが一致していると判断したときは、読み込んだ基本データが示す発行年月日（時間も含む）が「よい」かどうかを判断する（Ｓ１２１７）。ステップＳ１２１７で発行年月日が「よい」と判断したときは、会社コードが所定のコードがどうかを判断する（Ｓ１２１９）。
【０１０７】
ステップＳ１２１９で会社コードが所定のコードと判断したときは、アンテナコントローラに対して２ページ領域（Ｐ２）の内部データを読み取りさせるコマンドを送出し、アンテナコントローラからの内部データを読み取る（Ｓ１２２１）。  そして、リードエラーかどうかを判定し（Ｓ１２２３）、リードエラーでないときは、使用度数が「０」（０；未使用を示す）かどうかを判定する（Ｓ１２２５）。ステップＳ１２２５で未使用ではないと判定したときは、後述するデータ判定許可処理を行う（Ｓ１２２７）。そして、アンテナコントローラに内部データを消去させるコマンドを送出して、リフト券カード７のデータ領域をクリアにして（Ｓ１２２９）、本処理を終了する（Ｓ１２３１）。
【０１０８】
また、リトライカウンタが「２」になったと判定したとき、回収フラグ「１」が立てられていると判定したとき、発行年月日が「よく」ないと判定したとき、会社コードが所定のコードではないと判定したとき、２ページ領域（Ｐ２）の内部データがリードエラーであると判定したとき、使用度数が「０」と判定したときは、ステップＳ１２１１に戻してデータ判定ＮＧ処理を行う。
【０１０９】
すなわち、スキー場コード、発行年月日、回収フラグの状態、使用度数等からなる所定条件が満足しているときに、データ判定ＯＫ処理を行うようにしている。
【０１１０】
また、リフト券カードによっては、１ページ領域（Ｐ１）に基本データを記憶すると共に、２ページ領域以後の他のページ領域に、同じ基本データを記憶したものもある。
【０１１１】
このようなリフト券カードを回収する場合には、ステップＳ１２０９の後に、前述の他のページ領域を読み込ませてステップＳ１２０３に戻す処理を挿入してもよい。
【０１１２】
次に、データ判定ＯＫ処理を図１３を用いて説明する。データ判定ＯＫ処理は図１２の各チェックが全てよいときは、カードリーダのモータ７０ｂ及び７０ｃを回転させてリフト券カード７をカード収納袋１３に投函させる（Ｓ１３０１）と共に、紙幣払い出し部２１を起動させ（Ｓ１３０３）、案内板の紙幣支払い中を指示するＬＥＤを点灯させる（Ｓ１３０５）。
【０１１３】
そして、図１４に示す集計ファイル１２５を読み、回収したリフト券カード７のスキー場コード、会社コード及び券種（総称して券種データＱｉ）に対応するファイルデータを検索する（Ｓ１３０７）。
【０１１４】
このファイルデータは、図１４に示すように、時刻と、紙幣返却枚数と会社コードと券種の回収枚数とが一組となって、会社コード毎に記憶されている。また、エラーの発生の種類も記憶されている。
【０１１５】
次に、検索した券種データＭｉの回収枚数Ｋｉを更新し（Ｓ１３０９）、紙幣返却枚数Ｈｉを更新して（Ｓ１３１１）、本処理を終了する。
【０１１６】
また、集計データ転送手段１３４は、通信制御手段１３２が外部から集計結果を転送するコマンドを受信したときは、全ての回収データを集計データとして通信制御手段１３２に出力して外部に転送させる。
【０１１７】
なお、上記実施の形態ではスキー場における非接触のリフト券カードの自動回収システムとして説明したが、非接触のＩＣカードを用いて改札業務を行う遊技場の自動回収システムに用いてもよい。
【０１１８】
また、上記実施の形態では、カードを回収したとき預かり金を返却したが、紙幣に代わって何らかの券を発行してもよい。
【０１１９】
【発明の効果】
以上のように請求項１によれば、  挿入されたカードを垂直搬送させてアンテナによって非接触で内部データを読み込んでいるので、表裏の判定をしなくとも内部データを判定して枚数をカウントして券を返却できると共に、表裏の汚れ、脂肪を除去して収納袋に投函することができるという効果が得られている。
【０１２０】
また、収納袋はカード搬送部の後端の下方に設けられているので、背面パネルを開ける容易に収納袋を回収できるという効果が得られている。
さらに、複数種類のカードが挿入されても、現在のカード毎の回収枚数と時刻とを管理することができるという効果が得られている。
【０１２１】
請求項２によれば、遠隔地点にある外局は、常に回収機がどのような状態か、各カードの回収枚数及び残券を把握できるという効果が得られている。
【０１２２】
請求項３によれば、レバーを手前に引くと、丸ギヤが回転して収納部を回転させることにより、収納部の券収納口は背面パネル側を向くことになるので、券の補充の現場を他人に見にくくすることができるという効果が得られている。
【０１２３】
請求項４によれば、一枚毎にカードの内部データを確実に読み込むことができるという効果が得られている。
【０１２４】
請求項５によれば、不正なカードは内部に取り込まれて回収されることがないという効果が得られている。
【０１２５】
請求項６によれば、外局との同期をとって回収処理ができるという効果が得られている。
【図面の簡単な説明】
【図１】本実施の形態の記録単体自動回収装置の概略構成図である。
【図２】本実施の形態の記録単体自動回収装置の正面図である。
【図３】記録単体自動回収装置の側面図である。
【図４】記録単体自動回収装置の背面図である。
【図５】リフト券カードの記憶データを説明する説明図である。
【図６】カード搬送部の平面図である。
【図７】図４のＢ矢視方向の側面図である。
【図８】紙幣払い出し部の立体図である。
【図９】紙幣払い出し部の分解立体図である。
【図１０】制御ユニットの概略構成図である。
【図１１】記録単体自動回収装置の動作を説明する概略フローチャートである。
【図１２】カード回収処理を説明するフローチャートである。
【図１３】データ判定ＯＫ処理を説明するフローチャートである。
【図１４】集計ファイルを説明する説明図である。
【符号の説明】
１  記録単体自動回収装置
３  バックアップ電源
５  電源ユニット
７  リフト券カード
９  カード挿入／返却口
１１  アンテナ
１３  カード収納袋
１５  カード搬送部１５
１７  アンテナコントロール部
１９  紙幣取出口
２１  紙幣払い出し部
２２  ヒータ部
２８  制御ユニット
２９  通信インタフェース
３６  箱
１２０  カード回収判定手段
１２２  カードデータ消去指令手段
１２４  集計ファイル更新手段
１２６  各部状況検出手段
１２８  データ設定手段
１３０  メンテナンス受付応答手段
１３３  通信制御手段
１３４  集計データ転送手段
【図１】
0003784899.tif 000002
【図２】
0003784899.tif 000003
【図３】
0003784899.tif 000004
【図４】
0003784899.tif 000005
【図５】
0003784899.tif 000006
【図６】
0003784899.tif 000007
【図７】
0003784899.tif 000008
【図８】
0003784899.tif 000009
【図９】
0003784899.tif 000010
【図１０】
0003784899.tif 000011
【図１１】
0003784899.tif 000012
【図１２】
0003784899.tif 000013
【図１３】
0003784899.tif 000014
【図１４】
0003784899.tif 000015